(57)【要約】      （修正有）【課題】手指の形状に合わせて変形し易い低硬度のグリップであっても筆圧に伴う変形による軸方向への位置ズレを防止する。【解決手段】グリップ２の外周面に沿って周方向へ係止バンド３を巻き付け、連結部３ｃで環状に係止して保持することより、係止バンド３でグリップ２が全周に亘り軸筒１の外周面１ａに密着するため、筆圧でグリップ２に対し前方への押圧力が掛かっても、前方への押圧力が周方向へ部分的に集中せず周方向へ略均等に掛かって、軸筒外周面１ａとの間に発生する摩擦抵抗でグリップ２が前方へ位置ズレしない。【選択図】図１
2008068523.tif 000002
【特許請求の範囲】
【請求項１】
軸筒の外周に軟質材料からなる筒状のグリップを具備した筆記具において、
前記グリップの外周面に沿って周方向へ係止バンドを巻き付け、連結部で環状に係止して保持したことを特徴とする筆記具。
【請求項２】
上記係止バンドの内周に係止凸部を突設し、この係止凸部と、軸筒に形成される凹部とを軸筒の径方向へ嵌合させたことを特徴とする請求項１記載の筆記具。
【請求項３】
上記係止バンドに係合凹部を設けて、該係止バンドで圧縮変形されたグリップの表面を食い込ませたことを特徴とする請求項１又は２記載の筆記具。
【請求項４】
上記係止バンドの外側にカバー手段を設けて、拡径不能に当接させたことを特徴とする請求項１乃至３の何れか１項記載の筆記具。
【発明の詳細な説明】
【技術分野】
【０００１】
本発明は、軸筒の把持部位に滑り止めなどを目的として、弾性変形可能な軟質材料からなる筒状のグリップ（弾性把持部材）を具備した、例えばボールペンやシャープペンシルやサインペンなどの筆記具に関する。
詳しくは、グリップをベルト止めして位置ズレ防止した筆記具に関する。
【背景技術】
【０００２】
従来、この種の筆記具として、軟質材料（シリコーンゴム）からなるグリップ（外被体）の後端に内方へ向けて複数の凸部（後方厚肉部）を周方向へ等間隔毎に突出形成し、これら凸部を夫々軸筒の外周面及びその後方固定突起の間に区画形成された凹部（空間）へ嵌め込み、その外側から係止リング（後方止めリング）で覆って挟み込むことにより、グリップの後端凸部と軸筒とが周方向へ部分的に凹凸嵌合され、これら後方固定突起と係止リングとの間に幅狭の後方幅狭部を形成して、筆圧（筆記時の把持圧）によりグリップ（外被体）の後端部に前方への押圧力が掛かったとしても、該グリップの後端凸部が後方幅狭部を通過できないようにしたものがある（例えば、特許文献１参照）。
また、軸筒と軟質材料からなるグリップとの固定を、グリップの後方に、１個以上の凹部や貫通孔（穴）を形成し、この凹部や貫通孔に係合する突起を前記軸筒側に形成して、それら周方向へ部分的な凹凸嵌合や貫通孔に突起を挿通した軸嵌合で前方へ移動不能に保持することにより、グリップと軸筒の緩みや空回り等が防止されるものもある（例えば、特許文献２参照）。
【０００３】
しかし乍ら、このような従来の筆記具によれば、特許文献１の場合は、グリップの後端部に前方への押圧力が掛かると、グリップの後端部全体が軸方向へ伸び変形して、この前方への押圧力が、周方向へ部分的に配置された複数の凹凸嵌合部だけに集中的に掛かるため、軟質材料（シリコーンゴム）からなる各凸部の肉厚寸法が薄くなり易く、それにより凹凸嵌合部が外れて前方への位置ズレする恐れがあるという問題がある。
また、特許文献２の場合には、グリップの後端部に前方への押圧力が掛かると、グリップの後端部全体が軸方向へ伸び変形して、この前方への押圧力が周方向へ部分的に配置された凹凸嵌合部や軸嵌合部に集中的に掛かるため、軟質材料からなる凹部や貫通孔の肉厚寸法が薄くなり易く、それにより凹凸嵌合部が外れたり、貫通孔が断裂するなどして前方への位置ズレする恐れがあるという問題がある。
特に、近年では手指に対するフィット感（把持感触）を向上する観点などから、手指の形状に合わせて変形し易い、例えば表面硬度（Ｃタイプ硬度計）が３０度未満の低硬度な材料で成形したグリップが増えつつあり、その場合には、上述した位置ズレの発生が顕著となり、長期に亘って快適なフィット感を持続できないという問題があった。
【特許文献１】特開２００５−０７５８５号公報（第４，５，７，８頁、図２−８）
【特許文献２】特開２００５−６７０８５号公報（第３，４頁、図１，３−８）
【発明の開示】
【発明が解決しようとする課題】
【０００４】
本発明は、上記従来事情に鑑みてなされたもので、その課題とするところは、手指の形状に合わせて変形し易い低硬度のグリップであっても筆圧に伴う変形による軸方向への位置ズレを防止した筆記具を提供することにある。
【課題を解決するための手段】
【０００５】
上記課題を解決するために、第一の発明では、グリップの外周面に沿って周方向へ係止バンドを巻き付け、連結部で環状に係止して保持したことを特徴とする。
また、第二の発明では、上記第一の発明の構成に加えて、上記係止バンドの内周に係止凸部を突設し、この係止凸部と、軸筒に形成される凹部とを軸筒の径方向へ嵌合させたことを特徴とする。
また、第三の発明では、上記第一又は第二の発明の構成に加えて、上記係止バンドに係合凹部を設けて、該係止バンドで圧縮変形されたグリップの表面を食い込ませたことを特徴とする。
また、第四の発明では、上記第一乃至第三の何れか一つの発明の構成に加えて、上記係止バンドの外側にカバー手段を設けて、拡径不能に当接させたことを特徴とする。
【発明の効果】
【０００６】
本発明は、上記構成により下記の作用効果を奏する。
第一の発明によれば、グリップの外周面に沿って周方向へ係止バンドを巻き付け、連結部で環状に係止して保持することより、係止バンドでグリップが全周に亘り軸筒の外周面に密着するため、筆圧でグリップに対し前方への押圧力が掛かっても、前方への押圧力が周方向へ部分的に集中せず周方向へ略均等に掛かって、軸筒外周面との間に発生する摩擦抵抗でグリップが前方へ位置ズレしない。
従って、手指の形状に合わせて変形し易い低硬度のグリップであっても筆圧に伴う変形による軸方向への位置ズレを防止した筆記具を提供することができる。
よって、周方向へ部分的に配置された凹凸嵌合や軸嵌合でグリップを前方へ移動不能に保持する従来技術と比べ、簡単な構造でありながら部分的な断裂が発生せず、長期に亘って快適なフィット感を持続できる。
【０００７】
第二の発明によれば、係止バンドの内周に係止凸部を突設し、この係止凸部と、軸筒１に形成される凹部とを軸筒の径方向へ嵌合させることにより、係止バンドが軸筒に対して軸方向及び周方向へ移動不能に係止される。
従って、軸筒に係止バンド及びグリップを正確に位置決めすることができる。
よって、大量に製造しても製品にバラツキが無く商品価値を向上できる。
【０００８】
第三の発明によれば、係止バンドに係合凹部を設けて、該係止バンドで圧縮変形されたグリップの表面を食い込ませることにより、係止バンドに対するグリップの周方向や軸方向などへの位置ズレを防止されると共に、係止バンドで圧縮変形されたグリップの逃げ部分となって、係止バンドからのはみ出し量が軽減される。
従って、グリップの位置ズレ防止機能を更に向上しながら係止バンドの組立てを容易にすることができる。
よって、組立て作業が容易になって製作時間を短縮化してコストの低減が図れる。
【０００９】
第四の発明によれば、係止バンドの外側にカバー手段を設けて、拡径不能に当接させることにより、係止バンドが拡径して外れない。
従って、係止バンドの脱落を防止することができる。
よって、頑丈になって、落下などの衝撃が与えられても分解せず、商品価値を高めることができる。
【発明を実施するための最良の形態】
【００１０】
本発明の筆記具Ａは、図１〜図３に示す如く、軸筒１と、その外周面１ａに沿って挿入される弾性変形可能な筒状のグリップ２と、このグリップ２の外周を締め付ける係止バンド３とを備え、この係止バンド３をグリップ２の外周面に沿って巻き付けることにより、該グリップ２を圧縮変形して、軸筒１に対し軸方向及び周方向へ移動不能に係止するものである。
【００１１】
前記グリップ２は、その全体或いは少なくとも表面部分のみを弾性変形可能な材料で成形した略円筒体か又は断面三角形や多角形などの角筒体であり、図示例の場合には軸筒１の軸方向略全長を覆うように挿着されると共に、該グリップ２の軸方向略中央の外周面に、その他の部分よりも大径な隆起部２ａを全周に亘って形成し、この隆起部２ａから前方（図面では下方）及び後方（図面では上方）に向けて軸方向へ滑らかに連続する傾斜曲面部２ｂを夫々形成している。
【００１２】
詳しく説明すれば、グリップ２の軸方向略中央とは、軸筒１の軸方向中央位置よりもやや前方の位置であり、これを中心として隆起部２ａを配置し、この隆起部２ａの前後両方に一対の傾斜曲面部２ｂを配置して、縦断面略台形に拡径している。
【００１３】
更に、前記グリップ２の成形材料としては、例えばゴムやシリコーンゴムやエラストマーなどの低硬度な弾性材料を使用するか、又は合成樹脂からなる弾性変形可能な発泡体などの低硬度な弾性材料を使用して、該グリップ２を握った際にその硬度が柔軟になって、手指の握る力（把持力）を適度に分散・吸収させると共に、グリップ２の軽量化をも図ることで、長時間に亘り使用しても疲れ難くなるようにしている。
【００１４】
前記グリップ２の成形材料として弾性変形可能な発泡体を使用する場合には、軽量で適度な摩擦抵抗が得られるため好ましく、特に例えばエチレン−酢酸ビニル共重合体（ＥＶＡ）やポリエチレンの架橋発泡体、塩化ビニルの発泡体、スチレン系エラストマーの発泡体などの独立気泡構造の発泡体で、表面硬度（Ｃタイプ硬度計、JIS Ｋ 6767）が１５〜３０度、反発弾性（JIS Ｋ 6400）が１５％以下、見かけ密度（JIS Ｋ 6767）が０．０８〜０．１７g/cm3のものを使用すれば、把持力が適度に分散する低反発特性を有しながら耐久性にも優れている。
【００１５】
即ち、表面硬度が１５度以下の場合には、把持力が強いとグリップ２だけで緩衝しきれず軸体１の硬さを感じ、握り安定性が劣ると共に指が動いて伸び変形してしまい、また表面硬度が３０度以上となると握った際のグリップ２の応力が高く、手指の形状に合わせたグリップ２の変形が起こり難く、長時間に亘る筆記に伴って疲労し易くなり、特に子供や老人などの把持力が低い使用者の場合には使い難い。
反発弾性が１５％を越えた場合には、圧縮に対する発泡体の反発力が大きいため、長時間に亘り使用すると疲労が溜まり易くなってしまう。
見かけ密度が０．０８より軽い場合には、発泡体自体の強度も落ちてしまい長期間に亘る使用に伴って把持力による歪み、磨耗が発生して耐えられず、また見かけ密度が０．１７より大きい場合には、グリップ２の重量が大きくなってしまうため、疲労の原因となる。
【００１６】
このような弾性材料で成形されたグリップ２は、前記軸筒１の外周面１ａに対して位置ズレしないように、その内径を軸筒１の外径よりも若干小さくし、軸筒外周面１ａに沿って挿入した状態で、該グリップ２の内周面２ｃを軸筒外周面１ａと密着させて、これら両者間に大きな摩擦抵抗が発生するようにしている。
【００１７】
また、この軸筒外周面１ａには、前記グリップ２の内周面２ｃと係合するズレ止め用突起として、周方向へ延びる環状突起１ｂと、軸方向へ延びる縦突起１ｃを夫々設け、これらのズレ止め用突起１ｂ，１ｃをグリップ内周面２ｃに密着させることで、軸筒外周面１ａに対しグリップ２を軸方向及び周方向へ移動不能に保持することが好ましい。
【００１８】
これら環状突起１ｂ及び縦突起１ｃは、軸筒１外周面１ａに対するグリップ２の挿入方向へ夫々の外径が徐々に拡径するように傾斜させるか又は円弧状に形成することにより、軸筒外周面１ａに沿ってグリップ２を挿入する際に、該環状突起１ｂ及び縦突起１ｃをスムーズに乗り越えられるようにしている。
【００１９】
更に、これら環状突起１ｂ及び縦突起１ｃを軸筒１の軸方向へ複数配置した場合には、夫々が軸方向へ連続して配置されると、軸筒外周面１ａに沿ったグリップ２の挿入に伴って環状突起１ｂ及び縦突起１ｃを乗り越える際に、大きな摩擦抵抗が連続するため、該グリップ２の挿入方向先端部２ｄが内側にめくれて入り込むため、環状突起１ｂと縦突起１ｃとの間に適宜寸法の隙間を夫々形成することにより、グリップ２との摩擦抵抗を開放して、その挿入方向先端部２ｄが内側にめくれ込むことを防止している。
実験によれば、グリップ２の成形材料が上述した独立気泡構造の弾性変形可能な発泡体である場合には、環状突起１ｂと縦突起１ｃとの間に軸方向へ約５ｍｍ以上の隙間があれば、グリップ２の挿入方向先端部２ｄが内側にめくれ込むことなく、スムーズに挿入することができた。
【００２０】
そして、前記係止バンド３は、例えばポリプロピレンなどの合成樹脂などの材料で、少なくともその一部が弾性変形可能な帯板状に形成され、上記グリップ２の適宜箇所の外周面に沿って周方向へ該係止バンド３を巻き付けてから、それを環状に係止することにより、グリップ２の適宜箇所の外周面を適度な締め付け圧で全周に亘り圧縮変形し、その弾発力を利用して係止バンド３の係止状態が保持されると共に、この係止バンド３の内端部を前記軸筒１に対して軸方向及び周方向へ係止させることにより、これら係止バンド３及びグリップ２が軸筒１に対して軸方向及び周方向へ移動不能に保持される構造にしている。
【００２１】
この係止バンド３を詳しく説明すれば、図示例の場合には図１（ｃ）及び図３（ａ）〜（ｃ）に示す如く、上記グリップ２の外周面に沿って円弧状に湾曲した帯板部３ａと、この帯板部３ａの周方向適宜間隔毎に配置された弾性変形可能な肉薄部３ｂと、この帯板部３ａの周方向両端近くに配置された互いに嵌り合う連結部３ｃとを具備し、前記肉薄部３ｂから屈曲して帯板部３ａをグリップ２の外周面に沿った環状に巻き付けてから、前記連結部３ｃを上記軸筒１の径方向へ重ね合わせて相互に嵌合させることにより、係止バンド３全体を環状に係止している。
【００２２】
この帯板部３ａの内周には、係止凸部３ｄを突設し、この係止凸部３ｄと、上記軸筒１に形成される貫通孔や溝などの凹部１ｄとを軸筒１の径方向へ嵌合させることで、係止バンド３を軸筒１に対して軸方向及び周方向へ移動不能に係止している。
【００２３】
更に、前記帯板部３ａには、その周方向へ適宜間隔毎に開穿された貫通孔や溝などの係合凹部３ｅを複数個夫々設け、該係止バンド３で圧縮変形されたグリップ２の弾発力を利用して、その表面を各係合凹部３ｅに食い込ませることにより、係止バンド３に対するグリップ２の周方向や軸方向などへの位置ズレを防止すると共に、係止バンド３で圧縮変形されたグリップ２の逃げ部分となって、係止バンド３からのはみ出し量が軽減され、組立てを容易にしている。
【００２４】
また、前記帯板部３ａの内周面には、前記グリップ２の外周面に食い込んで軸方向へ係合する係止段部３ｆを形成することにより、環状に係止された係止バンド３の内周面からグリップ２の外周面が少なくとも前方へ位置ズレすることを防止している。
以下、本発明の一実施例を図面に基づいて説明する。
【実施例１】
【００２５】
この実施例１は、図１〜図３に示す如く、上述した独立気泡構造の弾性変形可能な発泡体からなるグリップ２の後端部２ｅに係止バンド３を巻き付けて環状に係止することにより、グリップ２を圧縮変形させて軸筒１に対し軸方向及び周方向へ移動不能に保持し、この係止バンド３の外側にカバー手段４を被せることにより、係止バンド３が拡径して外れないようにすると共に、上記軸筒１の前端部外周面に先口５を螺合接続し、この先口５とグリップ２との間に弾性リング６を挟み込むように配置したものである。
【００２６】
上記カバー手段４は図示例の場合、尾栓であり、この尾栓４を上記軸筒１の後端部に対して被せた状態で、前記係止バンド３と対向する部分の内径が、前記連結部３ｃで環状に係止された係止バンド３の外径と略同じになるようにして、該係止バンド３の拡径を防止している。
また、それ以外の例として化粧リングなどの環状体でも代用することも可能である。
【００２７】
更に、この尾栓４を上記軸筒１の後端外周面に螺合接続することで、軸筒１と一体的に連結され、該尾栓４の後端開口部には、必要に応じて化粧キャップ４ａを着脱自在に嵌合して閉鎖している。
【００２８】
前記弾性リング６は、グリップ２よりも硬質なゴムや弾性合成樹脂材料から形成され、特に軸筒１の先端側に位置する先口５の近傍を把持する使用者に対し、その把持感触を良好にすると共に、把持する手が筆圧により前方へずれてしまうのを防ぐようにしている。
【００２９】
更に、図示例の場合には、上記軸筒１の内部にリフィール７を組み込んで、その筆記先端部７ａを先口３から常時突出させると共に、この筆記先端部７ａをキャップ８で着脱自在に覆ったボールペンである場合を示している。
【００３０】
次に、斯かる筆記具Ａの作用効果について説明する。
上記グリップ２に係止バンド３を巻き付け連結部３ｃで環状に係止して、この係止バンド３と軸筒１の外周面１ａとの間でグリップ２を全周に亘り圧縮変形し、その弾発力を利用して該係止バンド３の係止状態を保持したため、係止バンド３との間で圧縮変形したグリップ２が全周に亘り軸筒１の外周面１ａに密着すると共に、この係止バンド３の内周に突設された係止凸部３ｄと、軸筒１に形成される凹部１ｄとを嵌合して、係止バンド３が軸筒１に対し軸方向及び周方向へ移動不能に係止される。
それにより、筆圧でグリップ２に対し前方への押圧力が掛かっても、前方への押圧力が周方向へ部分的に集中せず周方向へ略均等に掛かって、軸筒外周面１ａとの間に発生する摩擦抵抗と、係止バンド３の係止凸部３ｄ及び軸筒１の凹部１ｄの嵌合とによって、手指の形状に合わせて変形し易い低硬度の弾性材料からなるグリップ２であっても筆圧に伴う前方及び周方向への位置ズレを確実に防止できる。
【００３１】
また、係止バンド３に開穿された貫通孔や溝などの係合凹部３ｅを設け、この係合凹部３ｅに対して、係止バンド３で圧縮変形したグリップ２の表面が食い込むため、これらの嵌合によって、係止バンド３に対するグリップ２表面の周方向や軸方向などへの位置ズレを防止されると共に、係止バンド３で圧縮変形されたグリップ２の逃げ部分となって、係止バンド３からのはみ出し量が軽減される。
それにより、グリップ２の位置ズレ防止機能を更に向上すると同時に、グリップ２のはみ出しによる不都合を解消して組立てが行い易くなる。
【００３２】
そして、軸筒１の外周面１ａに軸方向及び周方向へのズレ止め用突起１ｂ，１ｃを設ければ、このズレ止め用突起１ｂ，１ｃとグリップ２の内周面２ｃとの係合で、軸筒１に対するグリップ２の軸方向や周方向への位置ズレ防止機能を更に向上させることができる。
【００３３】
特に、グリップ２の後端部２ｅを係止バンド３で軸筒１に対して軸方向及び周方向へ移動不能に保持した場合には、組立性や美観が優れるだけでなく、前方への位置ズレ防止機能にも優れるため、好ましい。
【００３４】
尚、前示実施例では、グリップ２の後端部２ｅを係止バンド３で軸筒１に対して軸方向及び周方向へ移動不能に保持する場合を示したが、本発明は、これに限定されず、グリップ２の後端部２ｅ以外の箇所、例えばグリップ２の軸方向略中央位置やグリップ２の前端部などを係止バンド３で軸方向及び周方向へ移動不能に保持しても良い。
更に、前示実施例では、グリップ２と先口５との間に弾性リング６を挟み込むように配置している場合を示したが、本発明は、これに限定されず、弾性リング６無しでグリップ２の前端を先口５の後端面に直接当接させても良い。
【００３５】
そして、図示例では、グリップ２が軸筒１の軸方向略全長を覆うように挿着される場合を示したが、本発明は、これに限定されず、グリップ２の挿着位置及びグリップ２の全体形状は図示例の形状に限定されず、グリップ２を軸筒１の把持部位のみを部分的に覆うように挿着したり、該グリップ２の軸方向略中央の外周面１ａに隆起部２ａと傾斜曲面部２ｂを形成しなくても良い。
【００３６】
更に図示例では、上記軸筒１の内部に組み込んだリフィール７の筆記先端部７ａを先口３から常時突出させ、キャップ８で着脱自在に覆ったボールペンである場合を示したが、本発明は、これに限定されず、ノック操作や回転操作によって筆記先端部７ａを出没させる構造のボールペンや、それ以外の例えばシャープペンシルやサインペンなどであっても良い。
更にまた、軸筒１を分離不能な一体構造としているが、本発明は、これに限定されず、軸筒１を、前軸と後軸との螺着接合などにより分離可能な一体構造としても良い。
【図面の簡単な説明】
【００３７】
【図１】本発明の筆記具の一実施例を示しており、（ａ）が筆記具全体の一部切欠正面図、（ｂ）が部分拡大縦断正面図、（ｃ）が図１（ａ）の（１ｃ）−（１ｃ）に沿える部分拡大横断底面図である。
【図２】分解状態を縮小して示す一部切欠正面図である。
【図３】部分的な斜視図であり、（ａ）が係止バンドの装着時を右側面から見た状態を示し、（ｂ）が同部分の分解時を右側面から見た状態を示し、（ｃ）が係止バンドを左側面から見た状態を示している。
【符号の説明】
【００３８】
１  軸筒                              １ｄ  凹部
２  グリップ                          ３  係止バンド
３ｃ  連結部                          ３ｄ  係止凸部
３ｅ  係合凹部                        ４  カバー手段（尾栓）
【図１】
2008068523.tif 000003
【図２】
2008068523.tif 000004
【図３】
2008068523.tif 000005